【事件の表示】
　特許第６２５５８４６号発明「加飾シート及び加飾樹脂成形品」の特許異議申立事件について、次のとおり決定する。
【結　論】
　特許第６２５５８４６号の特許請求の範囲を、訂正請求書に添付された訂正特許請求の範囲のとおり、訂正後の請求項［１〜８、１０〜１４］、９について訂正することを認める。
　特許第６２５５８４６号の請求項１〜１４に係る特許を維持する。
【理　由】
第１　手続の経緯
　特許第６２５５８４６号（以下「本件特許」という。）の請求項１〜９に係る特許についての出願は、平成２５年９月２７日に出願され、平成２９年１２月１５日にその特許権の設定登録（特許掲載公報発行日：平成３０年１月１０日）がされた。　
　本件特許異議の申立て以降の経緯は、次のとおりである。　
　平成３０年７月４日　　　　：特許異議申立人松田亘弘（以下「申立人」という。）による請求項１〜９に係る特許に対する特許異議の申立て　
　平成３０年８月２１日付け　：取消理由通知
　平成３０年１０月１９日　　：特許権者による意見書及び訂正請求書の提出　
　平成３０年１１月２６日　　：申立人による意見書の提出　
　平成３１年１月２９日付け　：取消理由通知（決定の予告）
　平成３１年３月２８日　　　：特許権者による意見書及び訂正請求書の提出
　令和元年５月７日　　　　　：申立人による意見書の提出
第２　訂正の適否
１．訂正の内容
　上記平成３１年３月２８日に提出された訂正請求書による訂正の請求（以下「本件訂正請求」という。）がされたので、上記平成３０年１０月１９日に提出された訂正請求書による訂正の請求は、特許法第１２０条の５第７項の規定により取り下げられたものとみなす。
　本件訂正請求による訂正（以下「本件訂正」という。）の内容は、以下のとおりである。（訂正箇所に下線を付す。）　
（１）訂正事項１　
　特許請求の範囲の請求項１に、「前記表面保護層が、電離放射線硬化性樹脂及び合成樹脂粒子を含む樹脂組成物により形成されており、」とあるのを、　
　「前記表面保護層が、電離放射線硬化性樹脂及び合成樹脂粒子を含む樹脂組成物
（但し、熱可塑性ポリウレタンエラストマー、ポリウレタン粒子及びウレタン（メタ）アクリレートを含むものを除く）
（２）訂正事項２　
　特許請求の範囲の請求項７が、「前記合成樹脂粒子が、ウレタンビーズ、ナイロンビーズ、アクリルビーズ、シリコーンビーズ、スチレンビーズ、メラミンビーズ、ウレタンアクリルビーズ、ポリエステルビーズ、及びポリエチレンビーズからなる群から選択された少なくとも１種である、請求項１〜６のいずれかに記載の三次元成形用加飾シート。」とあるところ、
　そのうち、請求項１の記載を引用するものについて、独立形式による記載に改め、　
　「
少なくとも、基材層と、表面保護層とを有する三次元成形用加飾シートであって、
　前記表面保護層は、前記加飾シートの一方側の全面を覆っており、　
　前記表面保護層が、電離放射線硬化性樹脂及び合成樹脂粒子を含む樹脂組成物により形成されており、　
　前記表面保護層において、前記合成樹脂粒子が、前記電離放射線硬化性樹脂１００質量部に対して、６５質量部以上１００質量部以下含まれ、
　前記合成樹脂粒子が、ウレタンビーズ、ナイロンビーズ、アクリルビーズ、シリコーンビーズ、スチレンビーズ、メラミンビーズ、ウレタンアクリルビーズ、ポリエステルビーズ、及びポリエチレンビーズからなる群から選択された少なくとも１種である
、三
　
（３）訂正事項３　
　特許請求の範囲の請求項７が、請求項１〜６のいずれかの記載を引用するものであるところ、そのうち、請求項２の記載を引用するものについて、訂正事項２で訂正する請求項７の記載を引用する「
前記電離放射線硬化性樹脂が、ポリカーボネート（メタ）アクリレートを含む、請求項７に記載の三次元成形用加飾シート。
　
（４）訂正事項４　
　特許請求の範囲の請求項７が、請求項１〜６のいずれかの記載を引用するものであるところ、そのうち、請求項３の記載を引用するものについて、訂正事項３で訂正する請求項１０の記載を引用する「
前記電離放射線硬化性樹脂が、多官能（メタ）アクリレートをさらに含む、請求項１０に記載の三次元成形用加飾シート。
　
（５）訂正事項５　
　特許請求の範囲の請求項７が、請求項１〜６のいずれかの記載を引用するものであるところ、そのうち、請求項４の記載を引用するものについて、訂正事項４で訂正する請求項１１の記載を引用する「
前記ポリカーボネート（メタ）アクリレートと、多官能（メタ）アクリレートとの質量比が、９８：２〜６０：４０である、請求項１１に記載の三次元成形用加飾シート。
　
（６）訂正事項６　
　特許請求の範囲の請求項７が、請求項１〜６のいずれかの記載を引用するものであるところ、そのうち、請求項５の記載を引用するものについて、訂正事項２〜５で訂正する請求項７、１０〜１２の記載を引用する「
前記合成樹脂粒子の粒子径が、２〜１５μｍである、請求項７、１０〜１２のいずれかに記載の三次元成形用加飾シート。
　
（７）訂正事項７　
　特許請求の範囲の請求項７が、請求項１〜６のいずれかの記載を引用するものであるところ、そのうち、請求項６の記載を引用するものについて、訂正事項２〜６で訂正する請求項７、１０〜１３の記載を引用する「前記表面保護層の厚みが、１〜３０μｍである、請求項７、１０〜１３のいずれかに記載の三次元成形用加飾シート。」に訂正し、新たな請求項１４とする。　
　
（８）訂正事項８　
　特許請求の範囲の請求項９に、「前記表面保護層が、電離放射線硬化性樹脂及び合成樹脂粒子を含む樹脂組成物により形成されており、」とあるのを、　
　「前記表面保護層が、電離放射線硬化性樹脂及び合成樹脂粒子を含む樹脂組成物
（但し、熱可塑性ポリウレタンエラストマー、ポリウレタン粒子及びウレタン（メタ）アクリレートを含むものを除く）
　
２．訂正の目的の適否、新規事項の有無、特許請求の範囲の拡張・変更の存否　
（１）訂正事項１について　
　訂正事項１は、本件訂正前の請求項１に特定された表面保護層を形成する樹脂組成物から、「（但し、熱可塑性ポリウレタンエラストマー、ポリウレタン粒子及びウレタン（メタ）アクリレートを含むものを除く）」と、一部の化合物を除外する訂正であるから、特許法第１２０条の５第２項ただし書第１号に掲げられた特許請求の範囲の減縮を目的とするものに該当する。そして、一部の化合物を除外する訂正であるから、新規事項を追加するものではなく、特許請求の範囲の拡張し、又は変更をするものではないことは明らかである。　
（２）訂正事項２について　
　訂正事項２は、本件訂正前の請求項１の記載を引用する請求項７を、独立形式による記載に改め、請求項１を引用しないものとし、さらに、表面保護層における、前記合成樹脂粒子が含まれる量について、本件訂正前の「前記電離放射線硬化性樹脂１００質量部に対して、６５質量部以上含まれ」とあるのを、「前記電離放射線硬化性樹脂１００質量部に対して、６５質量部以上１００質量部以下含まれ」と数値範囲に上限値を追加して、当該数値範囲を狭くするものである。よって、訂正事項２は、特許法第１２０条の５第２項ただし書第１号に掲げられた特許請求の範囲の減縮を目的とするものに該当し、同条同項ただし書第４号に掲げられた他の請求項の記載を引用する請求項の記載を当該他の請求項の記載を引用しないものとすることを目的とするものに該当する。　
　また、訂正事項２は、本件特許明細書の段落【００４９】の「・・・表面保護層２において、合成樹脂粒子８の含有量は、本発明の効果を奏することを限度として、特に制限されないが、表面保護層２を後述の印刷法などにより形成することを考慮すると、電離放射線硬化性樹脂１００質量部に対して、好ましくは２００質量部以下、より好ましくは１５０質量部以下、さらに好ましくは１００質量部以下が挙げられる。」という記載から、新規事項を追加するものではない。そして、訂正事項２は、特許請求の範囲の拡張し、又は変更をするものではないことは明らかである。　
　
（３）訂正事項３について　
　訂正事項３は、本件訂正前の請求項２の記載を引用する請求項７について、上記訂正事項２と同様に、請求項７の請求項１の記載を引用するものを、独立形式の記載に改め、合成樹脂粒子が含まれる量に上限値を追加するものとした上で、訂正後の請求項７を引用する形式として新たな請求項１０とするものであるから、特許法第１２０条の５第２項ただし書第１号に掲げられた特許請求の範囲の減縮に該当する。そして、訂正事項３が、新規事項を追加するものではなく、特許請求の範囲の拡張し、又は変更をするものでもないことは明らかである。　
　
（４）訂正事項４について　
　訂正事項４は、本件訂正前の請求項３の記載を引用する請求項７について、上記訂正事項２と同様に、請求項７の請求項１の記載を引用するものを、独立形式の記載に改め、合成樹脂粒子が含まれる量に上限値を追加するものとした上で、訂正後の請求項１０を引用する形式として新たな請求項１１とするものであるから、特許法第１２０条の５第２項ただし書第１号に掲げられた特許請求の範囲の減縮に該当する。そして、訂正事項４が、新規事項を追加するものではなく、特許請求の範囲の拡張し、又は変更をするものでもないことは明らかである。　
　
（５）訂正事項５について　
　訂正事項５は、本件訂正前の請求項４の記載を引用する請求項７について、上記訂正事項２と同様に、請求項７の請求項１の記載を引用するものを、独立形式の記載に改め、合成樹脂粒子が含まれる量に上限値を追加するものとした上で、訂正後の請求項１１を引用する形式として新たな請求項１２とするものであるから、特許法第１２０条の５第２項ただし書第１号に掲げられた特許請求の範囲の減縮に該当する。そして、訂正事項５が、新規事項を追加するものではなく、特許請求の範囲の拡張し、又は変更をするものでもないことは明らかである。　
　
（６）訂正事項６について　
　訂正事項６は、本件訂正前の請求項１〜４のいずれかの記載を引用する請求項５の記載をさらに引用する請求項７について、上記訂正事項２と同様に、請求項７の請求項１の記載を引用するものを、独立形式の記載に改め、合成樹脂粒子が含まれる量に上限値を追加するものとした上で、訂正後の請求項７及び１０〜１２を引用する形式として、新たな請求項１３とするものであるから、特許法第１２０条の５第２項ただし書第１号に掲げられた特許請求の範囲の減縮に該当する。そして、訂正事項６が、新規事項を追加するものではなく、特許請求の範囲の拡張し、又は変更をするものでもないことは明らかである。　
　
（７）訂正事項７について　
　訂正事項７は、本件訂正前の請求項１〜５のいずれかの記載を引用する請求項６の記載をさらに引用する請求項７について、上記訂正事項２と同様に、請求項７の請求項１の記載を引用するものを、独立形式の記載に改め、合成樹脂粒子が含まれる量に上限値を追加するものとした上で、訂正後の請求項７及び１０〜１３を引用する形式として、新たな請求項１４とするものであるから、特許法第１２０条の５第２項ただし書第１号に掲げられた特許請求の範囲の減縮に該当する。そして、訂正事項７が、新規事項を追加するものではなく、特許請求の範囲の拡張し、又は変更をするものでもないことは明らかである。　
　
（８）訂正事項８について　
　訂正事項８は、本件訂正前の請求項９に特定された表面保護層を形成する樹脂組成物を、「（但し、熱可塑性ポリウレタンエラストマー、ポリウレタン粒子及びウレタン（メタ）アクリレートを含むものを除く）」と、一部の化合物を除外する訂正であるから、特許法第１２０条の５第２項ただし書第１号に掲げられた特許請求の範囲の減縮を目的とするものに該当する。そして、一部の化合物を除外する訂正であるから、新規事項を追加するものではなく、また、特許請求の範囲の拡張し、又は変更をするものではない。　
３．一群の請求項　
　本件訂正前の請求項１〜８は、請求項２〜８が訂正事項１に係る請求項１を引用する関係であるから、本件訂正請求は特許法第１２０条の５第４項に規定する一群の請求項ごとにされたものである。　
　　
４．小括　
　以上のとおりであるから、本件訂正は、特許法第１２０条の５第２項ただし書第１号及び第４号に掲げるものを目的とするものであり、かつ、同条第４項、同条第９項において準用する同法第１２６条第５項及び第６項の規定に適合するので、訂正後の請求項〔１〜８、１０〜１４〕及び９について訂正を認める。　
第３　本件特許発明
　上記第２に示したように、本件訂正請求が認められるから、本件特許の請求項１〜１４に係る発明（以下「本件発明１」等という。）は、平成３１年３月２８日に提出された訂正請求書に添付された訂正特許請求の範囲の請求項１〜１４に記載された事項により特定される、次のとおりのものである。　
「【請求項１】　
　少なくとも、基材層と、表面保護層とを有する三次元成形用加飾シートであって、　
　前記表面保護層は、前記加飾シートの一方側の全面を覆っており、　
　前記表面保護層が、電離放射線硬化性樹脂及び合成樹脂粒子を含む樹脂組成物（但し、熱可塑性ポリウレタンエラストマー、ポリウレタン粒子及びウレタン（メタ）アクリレートを含むものを除く）により形成されており、　
　前記表面保護層において、前記合成樹脂粒子が、前記電離放射線硬化性樹脂１００質量部に対して、６５質量部以上含まれる、三次元成形用加飾シート。　
【請求項２】　
　前記電離放射線硬化性樹脂が、ポリカーボネート（メタ）アクリレートを含む、請求項１に記載の三次元成形用加飾シート。　
【請求項３】　
　前記電離放射線硬化性樹脂が、多官能（メタ）アクリレートをさらに含む、請求項２に記載の三次元成形用加飾シート。　
【請求項４】　
　前記ポリカーボネート（メタ）アクリレートと、前記多官能（メタ）アクリレートとの質量比が、９８：２〜６０：４０である、請求項３に記載の三次元成形用加飾シート。　
【請求項５】　
　前記合成樹脂粒子の粒子径が、２〜１５μｍである、請求項１〜４のいずれかに記載の三次元成形用加飾シート。　
【請求項６】　
　前記表面保護層の厚みが、１〜３０μｍである、請求項１〜５のいずれかに記載の三次元成形用加飾シート。　
【請求項７】　
　少なくとも、基材層と、表面保護層とを有する三次元成形用加飾シートであって、　
　前記表面保護層は、前記加飾シートの一方側の全面を覆っており、　
　前記表面保護層が、電離放射線硬化性樹脂及び合成樹脂粒子を含む樹脂組成物により形成されており、　
　前記表面保護層において、前記合成樹脂粒子が、前記電離放射線硬化性樹脂１００質量部に対して、６５質量部以上１００質量部以下含まれ、　
　前記合成樹脂粒子が、ウレタンビーズ、ナイロンビーズ、アクリルビーズ、シリコーンビーズ、スチレンビーズ、メラミンビーズ、ウレタンアクリルビーズ、ポリエステルビーズ、及びポリエチレンビーズからなる群から選択された少なくとも１種である、三次元成形用加飾シート。　
【請求項８】　
　前記基材層と前記表面保護層との間に、絵柄層をさらに有する、請求項１〜７のいずれかに記載の三次元成形用加飾シート。　
【請求項９】　
　少なくとも、成形樹脂層と、基材層と、表面保護層とがこの順に積層された積層体からなる加飾樹脂成形品であって、　
　前記表面保護層は、前記加飾樹脂成形品の一方側の全面を覆っており、　
　前記表面保護層が、電離放射線硬化性樹脂及び合成樹脂粒子を含む樹脂組成物（但し、熱可塑性ポリウレタンエラストマー、ポリウレタン粒子及びウレタン（メタ）アクリレートを含むものを除く）により形成されており、　
　前記表面保護層において、前記合成樹脂粒子が、前記電離放射線硬化性樹脂１００質量部に対して、６５質量部以上含まれる、加飾樹脂成形品。　
【請求項１０】　
　前記電離放射線硬化性樹脂が、ポリカーボネート（メタ）アクリレートを含む、請求項７に記載の三次元成形用加飾シート。　
【請求項１１】　
　前記電離放射線硬化性樹脂が、多官能（メタ）アクリレートをさらに含む、請求項１０に記載の三次元成形用加飾シート。　
【請求項１２】　
　前記ポリカーボネート（メタ）アクリレートと、前記多官能（メタ）アクリレートとの質量比が、９８：２〜６０：４０である、請求項１１に記載の三次元成形用加飾シート。　
【請求項１３】　
　前記合成樹脂粒子の粒子径が、２〜１５μｍである、請求項７，１０〜１２のいずれかに記載の三次元成形用加飾シート。　
【請求項１４】　
　前記表面保護層の厚みが、１〜３０μｍである、請求項７，１０〜１３のいずれかに記載の三次元成形用加飾シート。」
第４　取消理由の概要
　本件発明７、８、１０〜１４に対して、当審が平成３１年１月２９日付けで特許権者に通知した取消理由（決定の予告）の概要は、次のとおりである。なお、申立人が特許異議申立書に添付した甲第１号証〜甲第３号証を、それぞれ「甲１」等という。　
【理由】（特許法第２９条第２項）　
　本件発明７、８、１０〜１４は、甲１に記載された発明、並びに、甲２及び甲３に例示される従来周知の事項に基いて、当業者が容易に発明をすることができたものであるから、それらの特許は、特許法第２９条第２項の規定に違反して特許されたものであり、特許法第１１３条第２号の規定に該当することを理由として取り消されるべきものである。
　　
　　　　　　　　　　　＜刊　行　物　一　覧＞　
　甲１：特開２０１２−２１９２２１号公報　
　甲２：特開２０１３−７５５０１号公報　
　甲３：特開２０１３−８２２２１号公報　
　
第５　当審の判断　
１．引用文献の記載　
　当審が通知した、平成３１年１月２９日付け取消理由（決定の予告）において引用した甲１には、次の記載がある。
「【請求項１】
　樹脂成形体表面の触感を改質するための化粧料であって、熱可塑性ポリウレタンエラストマー、ポリウレタン粒子及びウレタン（メタ）アクリレートを含む化粧料」
「【発明が解決しようとする課題】　
【００１６】　
　従って、本発明の目的は、樹脂成形体の表面に、指の引っ掛かりがなく、かつしっとりしたソフトタッチ感（スウェード調）を簡便に付与できる化粧料及び化粧フィルム並びに樹脂成形体及び表面改質方法を提供することにある。　
【００１７】　
　本発明の他の目的は、複雑な三次元形状の成形体にも、ザラツキがなく、触り心地の良い触感を付与でき、成形体表面の機械的特性も向上できる化粧料及び化粧フィルム並びに樹脂成形体及び表面改質方法を提供することにある。」　
「【００１９】　
　すなわち、本発明の化粧料（又はコーティング組成物）は、樹脂成形体表面の触感を改質するための化粧料であって、熱可塑性ポリウレタンエラストマー、ポリウレタン粒子及びウレタン（メタ）アクリレートを含んでいてもよい。前記ポリウレタン粒子は、１ＭＰａ以下の１０％圧縮強度及び５０％以上の変形回復率を有していてもよい。前記ポリウレタン粒子は、平均粒径が１〜１００μｍの球状（例えば、略真球状粒子）であってもよい。前記ウレタン（メタ）アクリレートは重量平均分子量５００以上の脂肪族ウレタン（メタ）アクリレートであってもよい。前記ウレタン（メタ）アクリレートと前記熱可塑性ポリウレタンエラストマーとの割合（重量比）は、前者／後者＝１／９９〜７０／３０程度であってもよい。前記ポリウレタン粒子の割合は、熱可塑性ポリウレタンエラストマー及びウレタン（メタ）アクリレートの合計１００重量部に対して５０〜１５０重量部程度であってもよい。本発明の化粧料は、射出成形により形成される樹脂成形体の触感を改質するための化粧料であってもよい。　
【００２０】　
　本発明には、前記化粧料の硬化物で形成された化粧フィルムも含まれる。この化粧フィルムにおける荷重５０ｇｆ、１ｍｍ／秒の速度でセラミックで形成された滑り子を移動させたときの動摩擦係数は０．３〜０．９であり、動摩擦係数の標準偏差は０．００３〜０．０２であってもよい。また、本発明には、基材フィルムと、この基材フィルムに積層され、かつ前記化粧料の硬化物で形成された硬化物層との積層体で形成された化粧フィルムも含まれる。」　
「【発明の効果】　
【００２２】　
　本発明では、熱可塑性ポリウレタンエラストマーと、ポリウレタン粒子と、ウレタン（メタ）アクリレートとが組み合わされているため、樹脂成形体の表面に、指の引っ掛かりがなく、かつしっとりしたソフトタッチ感（スウェード調）を簡便に付与できる。さらに、柔軟性と強度とのバランスに優れるため、複雑な三次元形状の成形体にも、ザラツキがなく、触り心地の良い触感を付与でき、成形体表面の機械的特性も向上できる。　
【発明を実施するための形態】　
【００２３】　
　［化粧料］　
　本発明の化粧料（又は化粧剤）は、熱可塑性ポリウレタンエラストマーと、ポリウレタン粒子と、ウレタン（メタ）アクリレートとを含み、前記ウレタン（メタ）アクリレートと前記熱可塑性ポリウレタンエラストマーとを特定の割合で組み合わせることにより、ポリウレタン粒子をウレタン（メタ）アクリレートの硬化により強固に硬化膜に保持できるとともに、熱可塑性ポリウレタンが適度な割合で存在し、柔軟性を向上できるためか、樹脂成形体の表面の改質剤として用いると、触感を向上できる。」　
「【００５０】　
　ポリウレタン粒子の割合は、熱可塑性ポリウレタンエラストマー及びウレタン（メタ）アクリレートの合計１００重量部に対して、例えば、１０〜２００重量部程度の範囲から選択でき、例えば、５０〜１５０重量部、好ましくは７０〜１４０重量部、さらに好ましくは８０〜１３０重量部（特に１００〜１２０重量部）程度である。ポリウレタン粒子の割合が少なすぎると、触感を向上する効果が低く、多すぎると、機械的特性が低下する。」　
「【００６２】　
　ウレタン（メタ）アクリレートと熱可塑性ポリウレタンエラストマーとの割合（重量比）は、前者／後者＝１／９９〜７０／３０程度であり、好ましくは１０／９０〜５０／５０、さらに好ましくは２０／８０〜４５／５５（特に３０／７０〜４０／６０）程度である。熱可塑性ポリウレタンエラストマーの割合が少なすぎると、ソフトタッチ感が低下し、多すぎると、しっとりとした触感はあっても、引っ掛かり大きく、タック性が発現する。　
【００６３】　
　（他のビニル系化合物）　
　化粧料は、ウレタン（メタ）アクリレートに加えて、他のビニル系化合物として、多官能（メタ）アクリレートを含んでいてもよい。他の多官能（メタ）アクリレートには、２〜８官能（メタ）アクリレート、２官能以上のオリゴマー又は樹脂などが含まれる。」　
「【００７１】　
　化粧料は、熱硬化性組成物であってもよいが、短時間で硬化できる光硬化性化合物、例えば、紫外線硬化性化合物、ＥＢ硬化性化合物であってもよい。特に、実用的に有利な組成物は、紫外線硬化性樹脂である。　
【００７２】　
［化粧フィルム］　
　本発明の化粧フィルムは、前記化粧料の硬化物で形成されており、通常、基材フィルムと、この基材フィルムに積層され、かつ前記化粧料の硬化物で形成された硬化物層との積層体である。」　
「【００７６】　
　硬化物層の厚みは、例えば、１〜１００μｍ、好ましくは３〜７５μｍ、さらに好ましくは５〜５０μｍ（特に１０〜３０μｍ）程度である。」　
「【００８０】　
　［化粧フィルムの製造方法］　
　本発明の化粧フィルムは、基材フィルムの少なくとも一方の面に化粧料を含む塗工液を塗布した後、硬化することにより得ることができる。　
【００８１】　
　化粧料の塗布方法としては、慣用の方法、例えば、ロールコーター、エアナイフコーター、ブレードコーター、ロッドコーター、リバースコーター、バーコーター、コンマコーター、ディップ・スクイズコーター、ダイコーター、グラビアコーター、マイクログラビアコーター、シルクスクリーンコーター法、ディップ法、スプレー法、スピナー法などが挙げられる。これらの方法のうち、バーコーター法やグラビアコーター法などが汎用される。なお、必要であれば、塗布液は複数回に亘り塗布してもよい。」　
「【００９４】　
［化粧料の配合成分］　
　ウレタンエラストマー：一般的な非架橋性ポリエステル型ウレタンポリマー、大日精化工業（株）製　
　ポリウレタン粒子：大日精化工業（株）製「ダイミックビーズＵＣＮ−８０７０ＣＭ」、平均粒径７μｍ、真球状、ショアＡ硬度７４　
　ＰＭＭＡ粒子：東洋紡績（株）製「タフチックＦＨ−Ｓ　０１０」　
　ウレタンアクリレート：３官能ウレタンアクリレート、ダイセル・サイテック（株）製「ＫＲＭ８２９６」　
　６官能アクリレート：六官能アクリル系ＵＶ硬化モノマー、ダイセル・サイテック（株）製「ＤＰＨＡ」　
　開始剤１：光重合開始剤、チバ・ジャパン（株）製「イルガキュア（Ｉｒｇａｃｕｒｅ）１８４」　
　開始剤２：光重合開始剤、チバ・ジャパン（株）製「イルガキュア（Ｉｒｇａｃｕｒｅ）９０７」。　
【００９５】　
　比較例１〜４及び実施例１〜２　
　表１に示す樹脂成分、樹脂粒子及び開始剤を、トルエン及びイソプロパノールの混合溶媒に溶解した。この溶液を用いてトリアセチルセルロースフィルム上にワイヤーバー＃３８を用いて流延したのち、６０℃のオーブン内で１分間放置後、コートフィルムを紫外線照射装置（ウシオ電機（株）製、高圧水銀ランプ、紫外線照射量：８００ｍＪ／ｃｍ２）に通して、紫外線硬化処理を行い、塗工膜を硬化させて硬化物層を形成した。得られた化粧フィルムの触感、動摩擦係数及びその標準偏差、鉛筆硬度を測定した結果を表１に示す。　
【００９６】　
【表１】　
　」　
　甲１の段落【００８０】及び【００８１】の記載から、甲１に記載された「硬化物層」が「化粧フィルム」の一方側の全面を覆うものであることは明らかである。　
　また、甲１の段落【００９６】の【表１】に記載された「実施例２」に着目すると、硬化物層において、ウレタンエラストマーが６．８重量％、ポリウレタン粒子が１３．５重量％、ウレタンアクリレートが４．５重量％それぞれ含まれる化粧フィルムが記載されている。　
　そうすると、甲１には、次の発明（以下「引用発明」という。）が記載されている。
「基材フィルムと、硬化物層とを有する化粧フィルムであって、　
　前記硬化物層は、前記化粧フィルムの一方側の全面を覆っており、　
　前記硬化物層が、ウレタンエラストマー（一般的な非架橋性ポリエステル型ウレタンポリマー、大日精化工業（株）製）、ウレタンアクリレート（３官能ウレタンアクリレート、（ダイセル・サイテック（株）製「ＫＲＭ８２９６」）、及び、ポリウレタン粒子（大日精化工業（株）製「ダイミックビーズＵＣＮ−８０７０ＣＭ」、平均粒径７μｍ）により形成されており、　
　前記硬化物層において、前記ポリウレタン粒子が１３．５重量％、前記ウレタンアクリレートが４．５重量％含まれ、　
　ウレタン（メタ）アクリレートが、多官能（メタ）アクリレートを更に含む化粧フィルム。」　
　　
２．対比・判断
２−１．上記平成３１年１月２９日付け取消理由（決定の予告）について
（１）本件発明７について
ア．対比　
　本件発明７と引用発明を対比すると、引用発明の「基材フィルム」、「硬化物層」、「化粧フィルム」は、それぞれ「基材層」、「表面保護層」、「三次元成形用加飾シート」にそれぞれ相当する。
　また、甲１の「ウレタン（メタ）アクリレートの硬化により強固に硬化膜が保持できる」（段落【００２３】）及び「・・・コートフィルムを紫外線照射装置・・・に通して、紫外線硬化処理を行い、塗工膜を硬化させて硬化物層形成した」（段落【００９５】）との記載から、引用発明のウレタン（メタ）アクリレートは、紫外線により硬化する樹脂であり、紫外線は、電離放射線であることが技術常識である。そして、本件特許明細書に「また、電離放射線硬化性樹脂として使用される上記オリゴマーとしては、分子中にラジカル重合性不飽和基を持つ（メタ）アクリレートオリゴマーが好適であり、中でも分子内に重合性不飽和結合を２個以上（２官能以上）有する多官能性（メタ）アクリレートオリゴマーが好ましい。多官能性（メタ）アクリレートオリゴマーとしては、例えば、・・・ウレタン（メタ）アクリレート・・・」（段落【００２１】）と記載されていることからみて、引用発明の「ウレタン（メタ）アクリレート」は、本件発明７の「電離放射線硬化性樹脂」に相当する。
　また、引用発明のポリウレタン粒子が、合成樹脂粒子であって、「ウレタンビーズ」と呼べることは技術常識である。　
　そうすると、本件発明７と引用発明とは、少なくとも次の＜相違点１＞において相違する。
　　
＜相違点１＞　
　本件発明７の「表面保護層」において、「前記合成樹脂粒子が、前記電離放射線硬化性樹脂１００質量部に対して、６５質量部以上１００質量部以下含まれる」のに対し、引用発明は、「硬化物層」において、「前記ポリウレタン粒子が１３．５質量％、前記ウレタン（メタ）アクリレートが４．５質量％含まれ」るものである点。　
　　
イ．相違点についての検討　
　上記＜相違点１＞について検討する。
　本件特許明細書の記載によると、本件発明７は、「車両内外装部品、建材内装材、家電筐体等には、樹脂成形品の表面に」積層させて用いる「加飾シート」に関する発明であり、「加飾樹脂成形品の形状に十分に追従し得る三次元成形性」、「加飾樹脂成形品の表面材として使用されるため、耐傷付き性などの表面特性」を備ることが要求されるものであるところ、さらに近年は、「加飾樹脂成形品には、手で加飾樹脂成形品の表面を触った際に付着する指紋を目立たなくする耐指紋性が求められ」るものである（段落【０００２】、【０００３】、【０００６】）。
　そのため、本件発明７は、そのような課題を解決するためになされたものであり、「加飾シート」を「少なくとも、基材層と、表面保護層とを有し、表面保護層が、電離放射線硬化性樹脂及び合成樹脂粒子を含む樹脂組成物により形成」し、かつ、「表面保護層において、合成樹脂粒子が、電離放射線硬化性樹脂１００質量部に対して、６５質量部以上含まれる加飾シートは、成形性、耐傷付き性、耐指紋性、及び触感に優れる」との知見に基づいた発明である（段落【０００７】）。さらに、「電離放射線硬化樹脂」を基準、すなわち「１００質量部」に対して、「ウレタンビーズ」の「添加量」が「１００質量部以下」とすることが、「さらに好まし」いものとされる。（段落【００４９】）。このことは、実施例１〜６及び比較例１〜３について、段落【００９６】〜【００９９】の試験を行って評価した結果、「表面保護層」を「樹脂（１００質量部）」に対して、「ウレタンビーズ」の「添加量」が、「６５質量部」あるいは「１００質量部」のものについては、いずれも「成形性評価」、「耐傷付き性評価」、「触感評価」に加えて、「対指紋性評価」の全てにおいて、一定以上の評価が得られたことにより確認されている。
　一方、引用発明は、「前記ポリウレタン粒子が１３．５質量％、前記ウレタン（メタ）アクリレートが４．５質量％含まれ」るものであるが、これは、引用発明の硬化物層における電離放射線硬化樹脂１００質量部に対して、ポリウレタン粒子が３００質量部含まれることを意味する。しかし、甲１には、「電離放射線硬化樹脂」の量を基準として、「ウレタンビーズ」の「添加量」を特定することで、「成形性評価」、「耐傷付き性評価」、「触感評価」に加えて、「対指紋性評価」においても良好な「化粧フィルム」を得ることの技術的思想について記載されていないし、示唆する記載もない。さらに、甲２及び甲３にも記載されていないし、示唆する記載もない。
　そうすると、本件発明７に係る技術的思想が甲１には記載されてないし、示唆する記載もないから、引用発明の電離放射線硬化樹脂１００質量部に対してポリウレタン粒子が３００質量部含まれるものを、上記＜相違点１＞に係る本件発明７の構成を備えたものとすることが、当業者が容易になし得た事項であるとはいえない。
ウ．令和元年５月７日提出の申立人意見書について
　当該意見書において申立人は、本件発明７について「第１に、甲１の効果は「触り心地のよい触感（段落００２２）」であり、本件発明７の効果は「触感に優れる（段落０００９）」であります。つまり、本件発明７の効果は、甲１発明（当審注：「引用発明」）が有する効果とは異質なものではありません。」「第２に、本件発明７の有利な効果は、際だって優れたものではなく、つまり顕著性を有していません。なぜなら、訂正後の本件発明７の「合成樹脂粒子又はシリカ粒子」の添加量「１００重量部」については、出願当初の明細書の段落０１００及び表１に記載されていますが、その前後において臨界的な意義が存することを示すような本件特許明細書には見当たりません。」（３ページ６〜１３行）と主張する。
　しかし上記イ．に示したように、本件発明７の格別な作用効果は、「表面保護膜」において  「電離放射線硬化性樹脂」の量を基準、すなわち１００質量部として、「ウレタンビーズ」の「添加量」を「６５質量部以上１００質量部以下とすることで、上記【表１】に示されるように、「成形性評価」、「耐傷付き性評価」、「触感評価」に加えて、「対指紋性評価」の全てにおいて、一定以上の評価が得られたものであるところ、甲１には、引用発明が「対指紋性」の効果を発揮することについての記載はないし、示唆する記載もない。
　よって、本件発明７の効果は、「対指紋性」の有無において、引用発明のものと相違するから、両者は効果において同質のものとはいえない。
　また、上述のように、「ウレタンビーズ」の「添加量」が「６５質量部以上１００質量部以下」の数値範囲は、本件発明７の効果は実施例において裏付けられている。よって、当該数値範囲に臨界的な意義が存しないとまではいえない。
　以上のとおりであるから、申立人の上記主張は採用できない。
エ．小括　
　以上のとおりであるから、本件発明７は、引用発明に基いて当業者が容易に発明をすることができたものであるとはいえないから、特許法第２９条第２項の規定により特許を受けることができないものではない。　
　　
（２）本件発明７を引用する本件発明８、及び、本件発明１０〜１４について
　本件発明７を引用する本件発明８、及び、本件発明１０〜１４は、本件発明７の全ての発明特定事項を備え、さらに別の発明特定事項が付加されて技術的に限定されたものである。すると上記（１）に示したように、本件発明７は、引用発明に基いて、当業者が容易に発明をすることができたものではないから、本件発明７を引用する本件発明８、及び、本件発明１０〜１４のいずれも、引用発明及び周知の事項に基いて当業者が容易に発明をすることができたものではない。よって、本件発明７を引用する本件発明８、及び、本件発明１０〜１４は、特許法第２９条第２項の規定により特許を受けることができないものではない。
（３）小括
　以上のとおり、本件発明７は、引用発明に基いて、また、本件発明７を引用する本件発明８、及び、本件発明１０〜１４は、引用発明及び周知の事項に基いて、当業者が容易に発明をすることができたものであるとはいえず、それらに係る特許は、特許法第２９条第２項の規定に違反して特許されたものではないから、特許法第１１３条第２号の規定に該当することを理由として取り消されるべきものではない。
２−２．上記平成３１年１月２９日付け取消理由（決定の予告）に採用しなかった特許異議申立て理由について
（１）特許法第２９条第１項第３号の理由について
ア．本件発明１、５及び６について
（ア）本件発明１について
　本件発明１と引用発明とを対比すると、以下の＜相違点２＞において、本件発明１と引用発明は少なくとも相違する。
＜相違点２＞
　本件発明１の、「表面保護層」を形成する「電離放射線硬化性樹脂及び合成樹脂粒子を含む樹脂組成物」は、「熱可塑性ポリウレタンエラストマー、ポリウレタン粒子及びウレタン（メタ）アクリレートを含むものを除く」ものであるのに対し、引用発明の「硬化物層」は、「ウレタンエラストマー（一般的な非架橋性ポリエステル型ウレタンポリマー、大日精化工業（株）製）、ウレタンアクリレート（３官能ウレタンアクリレート（ダイセル・サイテック（株）製「ＫＲＭ８２９６」）、及び、ポリウレタン粒子（大日精化工業（株）製「ダイミックビーズＵＣＮ−８０７０ＣＭ」、平均粒径７μｍ）」を含む、すなわち、「熱可塑性ポリウレタンエラストマー、ポリウレタン粒子及びウレタン（メタ）アクリレートを含む」ものである点。
　上記１．に摘記した甲１の段落【００２２】には「本発明では、熱可塑性ポリウレタンエラストマーと、ポリウレタン粒子と、ウレタン（メタ）アクリレートとが組み合わされているため、樹脂成形体の表面に、指の引っ掛かりがなく、かつしっとりしたソフトタッチ感（スウェード調）を簡便に付与できる。・・・」との記載がある。すると、引用発明の「ウレタンエラストマー（熱可塑性ポリウレタンエラストマー）」を、「ポリウレタン粒子」及び「ウレタン（メタ）アクリレート」と組み合わせることで、「樹脂成形体の表面に、指の引っ掛かりがなく、かつしっとりしたソフトタッチ感（スウェード調）を簡便に付与できる。」との格別な効果を奏するのである。
　そうすると、本件発明１は、引用発明が上記格別な効果を奏するために必須の成分である「熱可塑性ポリウレタンエラストマー、ポリウレタン粒子及びウレタン（メタ）アクリレートを含むもの」を、「表面保護層」を形成する「電離放射線硬化性樹脂及び合成樹脂粒子を含む樹脂組成物」から除くものであるから、上記相違点２は、実質的な相違点である。
　よって、本件発明１は、引用発明ではないから、特許法第２９条第１項第３号に該当せず、その特許は、特許法第１１３条第２号の規定に該当することを理由として取り消すことができない。
（イ）本件発明５及び６について
　本件発明５及び６は、本件発明１を引用するものであるから、本件発明１の全ての発明特定事項をそなえ、さらに別の発明特定事項が付加されて技術的に限定されたものである。そして上記（ア）に示したように、本件発明１は、引用発明ではないから、本件発明５及び６も引用発明ではなく、特許法第２９条第１項第３号に該当せず、それらの特許は、特許法第１１３条第２号の規定に該当することを理由として取り消すことはできない。
イ．本件発明９について
　上記１．に摘記した甲１の記載から、引用発明の「化粧フィルム」は「複雑な三次元形状の成形体にも、ザラツキがなく、触り心地の良い触感を付与でき、成形体表面の機械的特性も向上できる」（段落【００１７】）ものであるから、甲１には、引用発明の「化粧フィルム」を表面に設けるように成形して得た成形体の発明（以下「引用成形体発明」という。）が記載されている。
　そして、本件発明９と引用成形体発明とを対比すると、上記＜相違点２＞において、両者は相違する。
　よって、上記ア．（ア）に示したように、上記＜相違点２＞は、実質的な相違点ではないから、本件発明９は、引用成形体発明ではなく、特許法第２９条第１項第３号に該当せず、その特許は、特許法第１１３条第２号の規定に該当することを理由として取り消すことはできない。
（２）特許法第２９条第２項の理由について
ア．本件発明２〜４について
　本件発明２〜４は、いずれも本件発明１の特定事項を全て包含する発明であり、本件発明２〜４の各発明と、引用発明を対比すると、少なくとも本件発明１と引用発明との相違点である上記（１）ア．（ア）に示した＜相違点２＞において相違する。
　上記（１）ア．（ア）に示したように、引用発明の「化粧フィルム」は「硬化物層」において「熱可塑性ポリウレタンエラストマーと、ポリウレタン粒子と、ウレタン（メタ）アクリレート」を組み合わせたものを含めることにより、上記「樹脂成形体の表面に、指の引っかかりがなく、かつ、しっとりしたソフトタッチ感（スウェード調）を簡単に付与できる。」との格別な作用効果を奏するものであるから、そのような引用発明において、当該「硬化物層」を「熱可塑性ポリウレタンエラストマー、ポリウレタン粒子及びウレタン（メタ）アクリレート」を除いたものとすることの動機付けがあるとはいえず、かつ、そのような構成を採用すれば、上記甲１に記載された引用発明の格別な作用効果の発揮が妨げられるのであるから、上記化合物を組み合わせたものを除くことに阻害事由が存在するといえる。
　そうすると、引用発明において、上記＜相違点２＞に係る本件発明１の構成を備えたものとすることは、当業者が容易になし得た事項であるとはいえない。
　以上のとおりであるから、本件発明２〜４は、引用発明に基いて、当業者が容易に発明をすることができたものであるとはいえない。
イ．本件発明１〜６を引用する本件発明８について
　本件発明１〜６を引用する本件発明８は、いずれの発明を引用するものにおいても、本件発明１の全ての発明特定事項を備え、さらに別の発明特定事項が付加されて技術的に限定されたものである。そのため、本件発明８と引用発明を対比すると、少なくとも、本件発明１と引用発明の相違点である上記（１）ア．（ア）に示した＜相違点２＞で相違する。
　そうすると、上記ア．に示した理由と同様に、引用発明において上記＜相違点２＞に係る本件発明１の構成を備えたものとすることは、当業者が容易になし得た事項であるとはいえない。以上のとおりであるから、本件発明１〜６を引用する本件発明８は、引用発明に基いて、当業者が容易に発明をすることができたものであるとはいえない。
ウ．令和元年５月７日提出の申立人意見書について
　当該意見書において、申立人は、「・・・訂正後の本件発明１、９」と甲１発明（当審注：引用発明）は技術的思想として顕著に異なるとはいえないので、進歩性は認められません。」（２ページ１〜２行）と主張しているから検討する。
　上記アに示したように、引用発明は、本件発明１、９が「硬化物層」を構成する化合物として「除く」とした「熱可塑性ポリウレタンエラストマー、ポリウレタン粒子及びウレタン（メタ）アクリレート」を必須の成分とすることで、「樹脂成形体の表面に、指の引っ掛かりがなく、かつしっとりしたソフトタッチ感（スウェード調）を簡便に付与できる。・・・」との効果を発揮するものである。そうすると、「樹脂成形体の表面」に付与しようとする性状が似通ったものであったとしても、当該性状を発揮せしめるための組成が異なったものである以上、それらの技術的思想が顕著に異ならないとまではいえない。
第６　むすび　
　以上のとおりであるから、本件発明１〜１４は、取消理由通知書（決定の予告）に記載した取消理由又は特許異議申立書に記載された特許異議申立理由によっては、本件発明１〜１４に係る特許を取り消すことはできない。さらに、他に本件発明１〜１４に係る特許を取り消すべき理由を発見しない。
　したがって、結論のとおり決定する。
【異議決定日】
令和１年６月１４日（２０１９．６．１４）
【訂正の要旨】
審決（決定）の【理由】欄参照。
（５７）【特許請求の範囲】
　【請求項１】
　少なくとも、基材層と、表面保護層とを有する三次元成形用加飾シートであって、
　前記表面保護層は、前記加飾シートの一方側の全面を覆っており、
　前記表面保護層が、電離放射線硬化性樹脂及び合成樹脂粒子を含む樹脂組成物
（但し、熱可塑性ポリウレタンエラストマー、ポリウレタン粒子及びウレタン（メタ）アクリレートを含むものを除く）
　前記表面保護層において、前記合成樹脂粒子が、前記電離放射線硬化性樹脂１００質量部に対して、６５質量部以上含まれる、三次元成形用加飾シート。
　【請求項２】
　前記電離放射線硬化性樹脂が、ポリカーボネート（メタ）アクリレートを含む、請求項１に記載の三次元成形用加飾シート。
　【請求項３】
　前記電離放射線硬化性樹脂が、多官能（メタ）アクリレートをさらに含む、請求項２に記載の三次元成形用加飾シート。
　【請求項４】
　前記ポリカーボネート（メタ）アクリレートと、前記多官能（メタ）アクリレートとの質量比が、９８：２〜６０：４０である、請求項３に記載の三次元成形用加飾シート。
　【請求項５】
　前記合成樹脂粒子の粒子径が、２〜１５μｍである、請求項１〜４のいずれかに記載の三次元成形用加飾シート。
　【請求項６】
　前記表面保護層の厚みが、１〜３０μｍである、請求項１〜５のいずれかに記載の三次元成形用加飾シート。
　【請求項７】
　
少なくとも、基材層と、表面保護層とを有する三次元成形用加飾シートであって、
　前記表面保護層は、前記加飾シートの一方側の全面を覆っており、
　前記表面保護層が、電離放射線硬化性樹脂及び合成樹脂粒子を含む樹脂組成物により形成されており、
　前記表面保護層において、前記合成樹脂粒子が、前記電離放射線硬化性樹脂１００質量部に対して、６５質量部以上１００質量部以下含まれ、
　前記合成樹脂粒子が、ウレタンビーズ、ナイロンビーズ、アクリルビーズ、シリコーンビーズ、スチレンビーズ、メラミンビーズ、ウレタンアクリルビーズ、ポリエステルビーズ、及びポリエチレンビーズからなる群から選択された少なくとも１種である
、三
　【請求項８】
　前記基材層と前記表面保護層との間に、絵柄層をさらに有する、請求項１〜７のいずれかに記載の三次元成形用加飾シート。
　【請求項９】
　少なくとも、成形樹脂層と、基材層と、表面保護層とがこの順に積層された積層体からなる加飾樹脂成形品であって、
　前記表面保護層は、前記加飾樹脂成形品の一方側の全面を覆っており、
　前記表面保護層が、電離放射線硬化性樹脂及び合成樹脂粒子を含む樹脂組成物
（但し、熱可塑性ポリウレタンエラストマー、ポリウレタン粒子及びウレタン（メタ）アクリレートを含むものを除く）
　前記表面保護層において、前記合成樹脂粒子が、前記電離放射線硬化性樹脂１００質量部に対して、６５質量部以上含まれる、加飾樹脂成形品。
　【請求項１０】
　
前記電離放射線硬化性樹脂が、ポリカーボネート（メタ）アクリレートを含む、請求項７に記載の三次元成形用加飾シート。
　【請求項１１】
　
前記電離放射線硬化性樹脂が、多官能（メタ）アクリレートをさらに含む、請求項１０に記載の三次元成形用加飾シート。
　【請求項１２】
　
前記ポリカーボネート（メタ）アクリレートと、前記多官能（メタ）アクリレートとの質量比が、９８：２〜６０：４０である、請求項１１に記載の三次元成形用加飾シート。
　【請求項１３】
　
前記合成樹脂粒子の粒子径が、２〜１５μｍである、請求項７，１０〜１２のいずれかに記載の三次元成形用加飾シート。
　【請求項１４】
　
前記表面保護層の厚みが、１〜３０μｍである、請求項７，１０〜１３のいずれかに記載の三次元成形用加飾シート。